(57)【要約】  コンテンツプロバイダと、ユーザ端末と、サーバとを備えた販売オファー編成システム。このサーバは、前記コンテンツプロバイダから少なくとも1つのチャネルの登録を受け取り、前記ユーザ端末のユーザから前記少なくとも1つのチャネルへの申込みを受け取り、編成基準を含んだ、前記チャネルと関連付けられたキャンペーンを前記コンテンツプロバイダから受け取り、前記ユーザが、編成基準に基づいてコンテンツの受信者になり得るかどうか、かつ前記ユーザが前記チャネルへの申込者であるかどうかを判定し、そうである場合、前記ユーザ端末にキャンペーンを送るように構成されている。
2014533412.tif 000002
【特許請求の範囲】
【請求項１】
コンテンツプロバイダ(510、610)と、ユーザ端末(530、200)と、サーバ(520、400)とを備えた販売オファー編成システム(500)であって、前記サーバ(520、400)は、
前記コンテンツプロバイダ(510、610)から少なくとも1つのチャネル(620)の登録を受け取り、
前記ユーザ端末(530、200)のユーザから前記少なくとも1つのチャネル(620)への申込みを受け取り、
編成基準を含んだ、前記チャネル(620)と関連付けられたキャンペーン(630)を前記コンテンツプロバイダ(510、610)から受け取り、
前記ユーザが前記編成基準に基づいてコンテンツの受信者になり得るかどうか、かつ前記ユーザが前記チャネル(620)への申込者であるかどうかを判定し、
そうである場合、前記キャンペーン(630)を前記ユーザ端末(530、200)に送る
ように構成されている、販売オファー編成システム(500)。
【請求項２】
前記編成基準は、商品および/または価格(640)、期間(650)、ならびに地理上のデータ(660)を含み、コントローラは、ユーザ端末(530、200)の位置を受け取り、前記位置が地理上のデータ(660)に対応しているかどうかに基づいて前記受信者の前記判定を行うように構成されている、請求項1に記載の販売オファー編成システム(500)。
【請求項３】
前記編成基準が、ターゲット群(670)をさらに含む、請求項1に記載の販売オファー編成システム(500)。
【請求項４】
前記ユーザ端末(530、200)は、第1のキャンペーン(630)と、第2のキャンペーン(630)とを受け取り、前記第1のキャンペーン(630)と前記第2のキャンペーン(630)とを前記編成基準に基づいた順序で提示するように構成されている、請求項1に記載の販売オファー編成システム(500)。
【請求項５】
前記ユーザ端末(530、200)は、
前記ユーザ端末(530、200)の位置を確定し、
前記第1のキャンペーン(630)と前記第2のキャンペーン(630)とを前記位置から前記編成基準の地理上のデータ(660)までの距離に基づいた順序で提示する
ように構成されている、請求項4に記載の販売オファー編成システム(500)。
【請求項６】
前記ユーザ端末(530、200)は、
前記第1のキャンペーン(630)と関連付けられたチャネル(620)への第1の申込者数の指示を受け取り、
前記第2のキャンペーン(630)と関連付けられたチャネル(620)への第2の申込者数の指示を受け取り、
前記第1のキャンペーン(630)と前記第2のキャンペーン(630)とを前記第1および第2の申込者数に基づいた順序で提示する
ように構成されている、請求項4に記載の販売オファー編成システム(500)。
【請求項７】
前記ユーザ端末(530、200)は、
前記第1のキャンペーン(630)を選定するように知らされた第1のユーザ数の指示を受け取り、
前記第2のキャンペーン(630)を選定するように知らされた第2のユーザ数の指示を受け取り、
前記第1のキャンペーン(630)と前記第2のキャンペーン(630)とをキャンペーン(630)を選定する前記第1および第2のユーザ数に基づいた順序で提示する
ように構成されている、請求項4に記載の販売オファー編成システム(500)。
【請求項８】
前記ユーザ端末(530、200)は、
前記第1のキャンペーン(630)を通じて購入をするように知らされた第1のユーザ数の指示を受け取り、
前記第2のキャンペーン(630)を通じて購入をするように知らされた第2のユーザ数の指示を受け取り、
記第1のキャンペーン(630)と前記第2のキャンペーン(630)とをキャンペーン(630)を選定する前記第1および第2のユーザ数に基づいた順序で提示する
ように構成されている、請求項4に記載の販売オファー編成システム(500)。
【請求項９】
前記ユーザ端末(530、200)は、
前記ユーザ端末(530、200)の現在時刻を確定し、
前記現在時刻と、前記第1のキャンペーン(630)の前記編成基準の期間(650)とに基づいて、前記第1のキャンペーン(630)についての第1の時間距離を確定し、
前記現在時刻と、前記第2のキャンペーン(630)の前記編成基準の前記期間(650)とに基づいて、前記第2のキャンペーン(630)についての第2の時間距離を確定し、
前記第1のキャンペーン(630)と前記第2のキャンペーン(630)とを前記第1および第2の時間距離に基づいた順序で提示する
ように構成されている、請求項4に記載の販売オファー編成システム(500)。
【請求項１０】
前記ユーザ端末(530、200)は、
指定されたチャネル(620)に申し込むように招待を受け取り、
前記招待の受諾を受け取り、
それに応答して、前記指定されたチャネル(620)の申込みを前記サーバ(520、400)に送る
ように構成されている、請求項4に記載の販売オファー編成システム(500)。
【請求項１１】
前記サーバ(520、400)は、
第2のユーザ端末(530、200)から、前記ユーザが指定されたチャネル(620)に申し込むように招待を受け取り、
それに応答して、前記ユーザの前記ユーザ端末(530、200)に前記招待を送り、
前記ユーザ端末(530、200)から、前記指定されたチャネル(620)の申込み要求を受け取る
ように構成されている、請求項10に記載の販売オファー編成システム(500)。
【請求項１２】
前記ユーザ端末(530、200)は、コードの画像をキャプチャし前記コードを解釈し、前記コードに従って、チャネル申込みの要求および/または前記コードによって指定されるキャンペーン(630)を前記サーバ(520、400)に送るように構成されている、請求項10に記載の販売オファー編成システム(500)。
【請求項１３】
前記サーバ(520、400)は、前記ユーザ端末(530、200)の位置を受け取り、それに応答して、前記ユーザ端末(530、200)の前記ユーザがその申込者になるよう指示されるチャネル(620)と関連付けられ、かつ前記ユーザ端末(530、200)の前記位置に対応する地理上のデータを有する、キャンペーン(630)のリストを前記ユーザ端末(530、200)に提供するように構成されている、請求項1に記載の販売オファー編成システム(500)。
【請求項１４】
コンテンツプロバイダ(510、610)と、ユーザ端末(530、200)と、サーバ(520、400)とを備えた販売オファー編成システム(500)での使用方法であって、
前記コンテンツプロバイダ(510、610)から少なくとも1つのチャネル(620)の登録を受け取るステップと、
前記ユーザ端末(530、200)のユーザから前記少なくとも1つのチャネル(620)への申込みを受け取るステップと、
編成基準を含んだ、前記チャネル(620)と関連付けられたキャンペーン(630)を前記コンテンツプロバイダ(510、610)から受け取るステップと、
前記ユーザが前記編成基準に基づいてコンテンツの受信者になり得るかどうか、かつ前記ユーザが前記チャネル(620)への申込者であるかどうかを判定するステップと、
そうである場合、前記ユーザ端末(530、200)に前記キャンペーン(630)を送るステップと
を含む、方法。
【請求項１５】
プロセッサ上で実行されると、請求項14に記載の方法を行う命令により符号化されたコンピュータ可読記憶媒体。
【請求項１６】
コンテンツプロバイダ(510、610)と、ユーザ端末(530、200)とを備えた販売オファー編成システム(500)で使用するためのサーバ(520、400)であって、コントローラ(410)と、メモリ(440)とを備え、前記コントローラ(410)は、
前記コンテンツプロバイダ(510、610)から少なくとも1つのチャネル(620)の登録を受け取り、
前記ユーザ端末(530、200)のユーザから前記少なくとも1つのチャネル(620)への申込みを受け取り、
編成基準を含んだ、前記チャネル(620)と関連付けられたキャンペーン(630)を前記コンテンツプロバイダ(510、610)から受け取り、
前記ユーザが、前記編成基準に基づいてコンテンツの受信者になり得るかどうか、かつ前記ユーザが、前記チャネル(620)への申込者であるかどうかを判定し、
そうである場合、前記ユーザ端末(530、200)に前記キャンペーン(630)を送る
ように構成されている、サーバ(520、400)。
【請求項１７】
コンテンツプロバイダ(510、610)と、サーバ(520、400)とを備えた販売オファー編成システム(500)で使用するためのユーザ端末(530、200)であって、コントローラ(210)と、メモリ(240)とを備え、前記コントローラ(210)は、
少なくとも1つのチャネル(620)の申込み要求を送り、
編成基準を含んだ、前記チャネル(620)と関連付けられたキャンペーン(630)を前記サーバ(520、400)から受け取り、
前記編成基準に基づいた順序で前記キャンペーン(630)を提示し、
前記キャンペーン(630)の選定を受け取り、
それに応答して、前記キャンペーン(630)と関連付けられた機能を有効にする
ように構成されている、ユーザ端末(530、200)。
【発明の詳細な説明】
【技術分野】
【０００１】
本出願は、莫大な数の販促の編成改善ための方法、システム、および装置に関し、詳細には、莫大な数の販促を販促チャネルに編成するための方法、システム、および装置に関する。
【背景技術】
【０００２】
今日の社会は、消費者志向型社会であり、ここでは、日々、非常に強いマーケティング力により、様々な品物、製品、およびサービスの販促が活発に行われている。利用できる販売オファーの数は莫大であり、たった1人の消費者では、数多くのオファーを吸い上げることはできない。また、ユーザに毎日提示される情報量はあまりにも多すぎて、1人でそれを全部まとめて取り上げることができないというのはよくあることであり、ユーザが、混乱してしまうこと、または提示されているものを簡単に無視するようになってしまうことが非常に起こりやすい。さらに、送出される莫大な量の販促および販売のオファーはともに、ユーザがそれをすべて管理するよう追われるような量で、電子的にかつ他の形式でユーザのところに到達し、それにより、ユーザは、すべての情報を管理し消費することが困難になる。さらに、多くのプロバイダが、自らの販促を一斉に送出し、それによって、いわゆるスパムEメールが生じ、これは普通なら潜在的な顧客になり得る購入者に対して迷惑をもたらす働きをしているにすぎない。したがって、コンテンツプロバイダによって提供されることになる販売データの量は、概観するのは非常に難しく、フルデータに直面しているユーザは、データに圧倒されることになり、それによって、どのデータが自分にとって対象であるのかを判別できなくなる。それによって、マーケティングシステムの目的は、システムの大きさに起因して簡単に失われる。
【０００３】
現代のシステムは、ユーザが、プロバイダからのオファーを受諾するように強要される、またはユーザが、別々の各プロバイダと合意に達しなくてはならないといういずれかの点で限定されており、これは、時間がかかること、および発効が困難であることの両方をはらんでいる。
【発明の概要】
【発明が解決しようとする課題】
【０００４】
したがって、ユーザが、自分が興味のあるオファーを見つけるために直観的なシステム、またプロバイダが、ターゲットにした販促を行いやすいシステムの必要性が存在する。
【課題を解決するための手段】
【０００５】
本願の教示の目的は、コンテンツプロバイダ、ユーザ端末、およびサーバを備えた販売オファー編成システムを提供することによって、上記に挙げた問題を克服することであり、前記サーバは、前記コンテンツプロバイダから少なくとも1つのチャネルの登録を受け取り、前記ユーザ端末のユーザから前記少なくとも1つのチャネルへの申込みを受け取り、編成基準を含んだ、前記チャネルと関連付けられたキャンペーンを前記コンテンツプロバイダから受け取り、前記ユーザが編成基準に基づいてコンテンツの受信者になり得るかどうか、かつ前記ユーザが前記チャネルへの申込者であるかどうかを判定し、そうである場合、キャンペーンを前記ユーザ端末に送るように構成されている。
【０００６】
本願の教示の目的はまた、コンテンツプロバイダ、ユーザ端末、およびサーバを備えた販売オファー編成システムで使用するための方法を提供することによって、上記に挙げた問題を克服することであり、前記方法は、前記コンテンツプロバイダから少なくとも1つのチャネルの登録を受け取るステップと、前記ユーザ端末のユーザから前記少なくとも1つのチャネルへの申込みを受け取るステップと、編成基準を含んだ、前記チャネルと関連付けられたキャンペーンを前記コンテンツプロバイダから受け取るステップと、前記ユーザが編成基準に基づいてコンテンツの受信者になり得るかどうか、かつ前記ユーザが前記チャネルへの申込者であるかどうかを判定するステップと、そうである場合、キャンペーンを前記ユーザ端末に送るステップとを含む。
【０００７】
本願の教示の目的はまた、プロセッサ上で実行されると、上述による方法を行う命令により符号化されたコンピュータ可読記憶媒体を提供することによって、上記に挙げた問題を克服することである。
【０００８】
本願の教示の目的はまた、コンテンツプロバイダと、ユーザ端末とを備えた販売オファー編成システムで使用するためのサーバを提供することによって、上記に挙げた問題を克服することであり、前記サーバは、コントローラと、メモリとを備え、前記コントローラは、前記コンテンツプロバイダから少なくとも1つのチャネルの登録を受け取り、前記ユーザ端末のユーザから前記少なくとも1つのチャネルへの申込みを受け取り、編成基準を含んだ、前記チャネルと関連付けられたキャンペーンを前記コンテンツプロバイダから受け取り、前記ユーザが編成基準に基づいてコンテンツの受信者になり得るかどうか、かつ前記ユーザが前記チャネルへの申込者であるかどうかを判定し、そうである場合、キャンペーンを前記ユーザ端末に送るように構成されている。
【０００９】
本願の教示の目的はまた、コンテンツプロバイダと、サーバとを備えた販売オファー編成システムで使用するためのユーザ端末を提供することによって、上記に挙げた問題を克服することであり、前記ユーザ端末は、コントローラと、メモリとを備え、前記コントローラは、少なくとも1つのチャネルの申込み要求を送り、編成基準を含んだ、前記チャネルと関連付けられたキャンペーンを前記サーバから受け取り、前記編成基準に基づいた順序で前記キャンペーンを提示し、前記キャンペーンの選定を受け取り、それに応答して前記キャンペーンと関連付けられた機能を有効にするように構成されている。
【００１０】
本発明者らは、独創的かつ洞察力に満ちた推論をした後、販売オファーをチャネルに仕分けるまたは分類することによって、閲覧するまたは申し込むことができるTVチャネルにユーザが考えていることを直接結び付けて自分が興味のあるコンテンツを見つけることが可能になることを認識した。さらに、チャネルシステムにより、コンテンツプロバイダは、その製品およびオファー提供をチャネルに分類して、概観しやすく見つけやすくすることが可能になる。加えて、キャンペーンは、その利用に際して非常に多用途であり、プロバイダは、キャンペーンを手直しして、キャンペーンに最も興味があり、またキャンペーンについて知らされるという最大の直接利益を得るはずであるユーザを見つけることができる。時間依存性と、地理上の地域と、興味のあるチャネルのユーザ選択とを組み合わせることによって、システムは、販売オファーによって最もサービス提供を受けるそれらのユーザをターゲットとすることができる。また、たとえば、変更した位置から生じる販売オファーの最新の変更により、ユーザを更新した状態にすることが可能である。本明細書における教示により、マーケティングおよび販促のシステムでの使用が見出される。
【００１１】
本明細書における教示の1つの態様によれば、販促データのバーチャルチャネルへの編成は、ユーザ端末に分散される待ち行列システムと考えるべきであり、ここでは、入来する販促キャンペーンは、バーチャルチャネルに到達し、待ち行列に入れられる。編成基準は、どんな販促データが、どのユーザ端末に、どの順序で待ち行列に入れるべきであるかを指定する。
【００１２】
本明細書における教示は、さらに、キャンペーンの提示を知的に編成する方式を開示し、それにより、ユーザと潜在的な購買者は、最も興味のあるキャンペーンについて任意の所与の時間および場所で知ることになる。
【００１３】
本明細書における教示は、数十年にわたって、現代社会において一般的であった宣伝情報の増加する流れにユーザが晒されることによって圧倒されているという問題に対して簡単な解決策を提供する。
【００１４】
開示される実施形態の他の特徴および利点は、以下の詳細な開示から、添付の従属請求項から、ならびに図面から明らかになろう。
【００１５】
概して、特許請求の範囲で使用されるすべての用語は、本明細書において別段明示的に定義されない限り、本技術分野でそれらの一般的な意味に従って解釈すべきである。「1つの(a/an)/その(the)(要素、デバイス、構成要素、手段、ステップなど)」に対するすべての参照は、別段明示的な断りがない限り、要素、デバイス、構成要素、手段、ステップなどのうちの少なくとも1つの例を示しているとオープンに解釈すべきである。本明細書に開示される任意の方法のステップは、明示的に断りがない限り、開示される正確な順序で行う必要はない。
【００１６】
本発明は、添付の図面を参照の下でさらに詳細に説明されよう。
【図面の簡単な説明】
【００１７】
【図１】本願の教示の一実施形態によるユーザ端末の概略図である。
【図２】本願の教示の一実施形態によるユーザ端末の概括的な構造の概略構成要素図である。
【図３】本願の教示の、ある実施形態が使用され得る通信システムの概括的な構造の概略構成要素図である。
【図４】本願の教示の一実施形態によるサーバの概括的な構造の概略構成要素図である。
【図５】本願の教示の一実施形態によるシステムの概略図である。
【図６】本願の教示の一実施形態による販促データの順序の概略図である。
【図７】本願の教示の一実施形態による方法の流れ図である。
【図８】本願の教示の一実施形態による方法の流れ図である。
【図９ａ】本願の教示の一実施形態によるユーザ端末の例示的な図である。
【図９ｂ】本願の教示の一実施形態によるユーザ端末の例示的な図である。
【図９ｃ】本願の教示の一実施形態によるユーザ端末の例示的な図である。
【図９ｄ】本願の教示の一実施形態によるユーザ端末の例示的な図である。
【図１０】本願の教示の一実施形態による方法の流れ図である。
【発明を実施するための形態】
【００１８】
次に、開示の実施形態を、本発明の特定の実施形態が示されている添付の図面を参照して、以降、より完全に説明する。しかしながら、本発明は、多くの種々の形態で実装可能であり、本明細書に記載される実施形態に限定するものと解釈すべきではなく、むしろ、これらの実施形態は、本開示が綿密かつ完全であるように、かつ当業者に本発明の範囲を完全に伝えるように、例として提供される。同様の数字は、全体を通じて同様の要素を示す。
【００１９】
図1は、本明細書における教示により適合されたモバイル通信デバイス100の形態で、ユーザ端末の概観を示している。図示の実施形態では、モバイル通信デバイスは、モバイルフォン100である。他の実施形態では、モバイル通信デバイス100は、パーソナルデジタルアシスタント、メディアプレーヤ、位置検索デバイス、または他のデバイスと通信できる任意のハンドヘルドデバイスである。モバイルフォン100は、ディスプレイ120がその中に配置されている筐体110を備える。一実施形態では、ディスプレイ120は、タッチディスプレイである。他の実施形態では、ディスプレイ120は、非タッチディスプレイである。さらには、モバイルフォン100は、2つのキー130a、130bを備える。本実施形態では、2つのキー130が存在するが、任意の数のキーが可能であり、それは、モバイルフォン100の設計によって決まる。一実施形態では、モバイルフォン100は、タッチディスプレイ120上のバーチャルキー135を表示し、動作させるように構成されている。バーチャルキー135の数は、モバイルフォン100の設計およびモバイルフォン100上で実行されるアプリケーションに依存することに留意されたい。一実施形態では、デバイス100は、タッチセンサディスプレイに加えてあるいはその代替として、ITU-Tキーパッド、またはQWERTY(もしくは等価物)キーパッドを備える。キーパッドがタッチセンサ式ディスプレイの代替である実施形態では、ディスプレイ120は、非タッチセンサ式ディスプレイである。
【００２０】
図2は、図1によるユーザ端末の概括的な構造の概略構成要素図を示している。モバイルフォン100は、コントローラ210を備え、このコントローラ210は、モバイル端末の全動作を担い、任意の市販のCPU(「中央処理ユニット(Central Processing Unit)」)、DSP「デジタル信号プロセッサ(Digital Signal Processor)」)、または任意の他の電子プログラマブル論理デバイスによって具現化されることが好ましい。コントローラ210は、たとえば、汎用または専用のプロセッサにおける実行可能なコンピュータプログラム命令を使用することによって、ハードウェア機能に効力をもたせる命令を使用して具現化可能であり、この命令は、コンピュータ可読記憶媒体(ディスク、メモリなど)240上に記憶されて、そのようなプロセッサによって実行され得る。コントローラ210は、メモリ240から命令を読み取り、モバイルデバイス100の動作を制御するようこれらの命令を実行するように構成されている。メモリは、ROM、RAM、SRAM、DRAM、CMOS、FLASH、DDR、EEPROMメモリ、フラッシュメモリ、ハードドライブ、光ストレージ、または任意のそれらの組合せなど、コンピュータ可読メモリについて任意の一般に知られている技術を使用して具現化可能である。モバイルデバイス100は、1つまたは複数のアプリケーション250をさらに含む。アプリケーションは、コントローラ210によって実行されると、モバイルデバイス100の動作を制御する命令のセットである。メモリ240は、コントローラ210によって様々な目的で使用され、そのうちの1つは、モバイルデバイス内の様々なソフトウェアに対するアプリケーションデータおよびプログラム命令250を記憶することに関するものである。ソフトウェアは、リアルタイムオペレーティングシステム、人と機械とのインターフェース220のためのドライバ、アプリケーションハンドラ、ならびに様々なアプリケーション250を含む。アプリケーション250は、ショートメッセージングサービス(SMS)、マルチメディアメッセージングサービス(MMS)、および電子メールのためのメッセージングアプリケーション、メディアプレーヤアプリケーション、ならびに音声通話、ビデオ通話、ウェブ閲覧、文書読取りおよび/または文書編集のためのアプリケーション、インスタントメッセージングアプリケーション、電話帳アプリケーション、カレンダアプリケーション、コントロールパネルアプリケーション、1つまたは複数のビデオゲーム、ノートパッドアプリケーション、位置検索アプリケーションなど、様々な他のアプリケーション250を含み得る。代替として、モバイルデバイス200は、位置検索アプリケーションによって動作可能に実行され得る全地球測位システム(Global Positioning System:GPS)デバイス260などの位置検索装置を備える。
【００２１】
モバイルデバイス200は、ユーザインターフェース220をさらに備え、図1のモバイルデバイス100では、ディスプレイ120と、キー130、135と、ラウドスピーカ150とから構成される。ユーザインターフェース(UI)220はまた、1つまたは複数のハードウェアコントローラを含み、このハードウェアコントローラは、UIドライバとともに、ディスプレイ120、キーパッド130、ならびにマイクロフォン150、スピーカ、バイブレータ、着信音ジェネレータ、LEDインジケータなどの様々な他のI/Oデバイスと協働する。一般に知られているように、ユーザは、このように形成される人と機械とのインターフェースを通じてモバイル端末を動作させることができる。
【００２２】
モバイルデバイス200は、無線周波数インターフェース230をさらに備え、この無線周波数インターフェース230は、モバイルデバイスが、種々の無線周波数技術の使用により、無線周波数バンドを通じて他のデバイスと通信することを可能にするように適合されている。そのような技術の例は、いくつかを挙げると、W-CDMA、GSM（登録商標）、UTRAN、LTE、およびNMTである。コントローラ210は、音声通話などのアプリケーション250、およびRFインターフェース230を介したSMSアプリケーション、ならびにメモリ240に記憶されているソフトウェアを動作可能に実行するように構成され、このソフトウェアは、様々なモジュール、プロトコルスタック、ドライバなどを含んで、RFインターフェース230、任意選択で、ローカル接続のためのブルートゥース(Bluetooth（登録商標）)インターフェースおよび/またはIrDAインターフェースに通信サービス(トランスポート、ネットワーク、および接続など)を提供する。RFインターフェース230は、基地局に対するワイヤレスリンクを確立し維持するための内部または外部アンテナ、ならびに適切な無線回路を備える。当業者にはよく知られているように、無線回路は、無線受信機および送信機をともに形成する一連のアナログおよびデジタルの電子構成要素を備える。これらの構成要素は、すなわち、バンドパスフィルタ、増幅器、混合器、ローカル発振器、ローパスフィルタ、AD/DA変換器などを含む。
【００２３】
図3は、本明細書における教示による通信システム300の概括的な構造の概略図を示している。図3の通信システムでは、セルラ音声通話、www/wap閲覧、セルラビデオ通話、データ通話、ファクシミリ伝送、音楽伝送、静止画像伝送、ビデオ伝送、電子メッセージ伝送、および電子商取引などの様々な通信サービスは、開示の実施形態によるモバイル端末100、300と、別のモバイル端末355または固定電話380など、他のデバイスとの間で行うことができる。モバイル端末350、355は、基地局340を介して無線周波数(Radio Frequency)リンクを通じてモバイル通信ネットワーク310に接続される。
【００２４】
通信システム300は、少なくとも1つのサーバ330を備える。サーバ330は、データストレージと、コントローラとを有し、このコントローラは、任意の市販のCPU(「中央処理ユニット(Central Processing Unit)」、DSP(「デジタル信号プロセッサ(Digital Signal Processor)」、または任意の他の電子プログラマブル論理デバイスによって具現化されることが好ましい。図4およびそれに属する説明は、サーバの主な構成要素およびそれらの機能をより詳細に示す。一実施形態では、そのようなサーバは、モビリティ管理エンティティ(Mobility Management Entity:MME)である。一実施形態では、そのようなサーバは、ゲートウェイ(Gateway:GW)である。サーバ330は、モバイル通信コアネットワーク(CN)310、および/またはインターネットもしくは公衆交換電話網(Public Switched Telephone Network:PSTN)などの外部リソース320と通信するように構成されている。PSTN320は、固定電話または携帯電話380と通信し、固定電話または携帯電話380間の通信を確立するように構成されている。一実施形態では、外部リソースは、外部サーバプロバイダ390を備え、または外部サーバプロバイダ390と通信するように構成されている。一実施形態では、サーバ330は、パケット交換技術またはプロトコルを使用して他のデバイスと通信するように構成されている。そのような実施形態では、サーバ330は、発展型パケットコア(Evolved Packet Core:EPC)層を作り上げることができる。
【００２５】
サーバは、基地局340とも称されるノードと通信するように構成されている。一実施形態では、基地局340は、発展型ノードベース(evolved Node Base: eNB)である。基地局340は、サーバ330と通信するようにさらに構成されている。一実施形態では、サーバ330と基地局340との間の通信は、規格またはプロトコル370により達成される。一実施形態では、このプロトコルはS1である。基地局340は、別の基地局340と通信するように構成されている。一実施形態では、基地局340と別の基地局340との間の通信は、規格またはプロトコル360により達成される。一実施形態では、プロトコル360は、X2である。基地局340は、セル180をハンドリングする、またはセル180にサービス提供するように構成されている。一実施形態では、少なくとも1つの基地局340は、ロングタームエボリューション(Long Term Evolution:LTE)層を作り上げる。一実施形態では、少なくとも1つの基地局340は、LTEアドバンスト(LTE Advanced)層を作り上げる。
【００２６】
一実施形態では、基地局340は、ワイヤレス無線周波数プロトコルを通じてモバイル通信デバイス350(100)と通信するように構成されている。
【００２７】
一実施形態では、通信システム100は、発展型パケットシステム(Evolved Packet System:EPS)ネットワークである。一実施形態では、通信システムは、3GPP(第3世代パートナーシッププロジェクト(3rd Generation Partnership Project))規格に基づいたシステムである。一実施形態では、通信システムは、UMTS(ユニバーサルモバイル通信システム(Universal Mobile Telecommunications System))規格に基づいたシステムである。一実施形態では、通信システムは、GSM（登録商標）、D-AMPS、CDMA2000、FOMAまたはTD-SCDMAなどの通信規格に基づいたシステムである。
【００２８】
図4は、図3ではサーバ330、390などのサーバ400の例を示している。サーバ400は、コントローラ410を備え、このコントローラ410は、サーバ400の全動作を担い、任意の市販のCPU(「中央処理ユニット(Central Processing Unit)」)、DSP(「デジタル信号プロセッサ(Digital Signal Processor)」)、または任意の他の電子プログラマブル論理デバイスによって具現化されることが好ましい。コントローラ410は、たとえば、汎用または専用のプロセッサにおける実行可能なコンピュータプログラム命令を使用することによって、ハードウェア機能に効力をもたせる命令を使用して具現化可能であり、この命令は、コンピュータ可読記憶媒体(ディスク、メモリなど)440上に記憶されて、そのようなプロセッサによって実行され得る。コントローラ410は、メモリ440から命令を読み取り、サーバ400の動作を制御するようこれらの命令を実行するように構成されている。メモリ440は、ROM、RAM、SRAM、DRAM、CMOS、FLASH、DDR、EEPROMメモリ、フラッシュメモリ、ハードドライブ、光ストレージ、または任意のそれらの組合せなど、コンピュータ可読メモリについて任意の一般に知られている技術を使用して具現化可能である。サーバ400は、1つまたは複数のアプリケーション450をさらに含む。アプリケーションは、コントローラ410によって実行されると、サーバ400の動作を制御する命令のセットである。メモリ440は、コントローラ410によって様々な目的で使用され、そのうちの1つは、サーバ400内の様々なソフトウェアに対するアプリケーションデータおよびプログラム命令を記憶することに関するものである。ソフトウェアは、リアルタイムオペレーティングシステム、アプリケーションハンドラ、ならびに様々なアプリケーション450を含む。アプリケーション450は、ショートメッセージングサービス(SMS)、マルチメディアメッセージングサービス(MMS)、および電子メールのためのメッセージングアプリケーション、ならびに音声通話、ビデオ通話、ウェブ閲覧、文書読取りおよび/または文書編集のためのアプリケーション、インスタントメッセージングアプリケーション、カレンダアプリケーション、コントロールパネルアプリケーション、1つまたは複数のビデオゲームなどの様々な他のアプリケーション450を含み得る。
【００２９】
代替として、サーバ400は、ユーザインターフェース420についてドライバを備える。一般に知られているように、ユーザは、ユーザインターフェース420を通じてサーバ400を動作させることができる。
【００３０】
サーバ400は、インターフェース430をさらに備え、このインターフェース430は、サーバ400が、たとえば、種々の無線周波数技術の使用により、無線周波数バンドを通じて他のデバイスと通信することを可能にするように適合されている。そのような技術の例は、いくつかを挙げると、W-CDMA、GSM（登録商標）、UTRAN、LTE、NMTである。任意選択で、サーバ400は、ローカル接続のためのブルートゥース(Bluetooth（登録商標）)インターフェースおよび/またはIrDAインターフェースを備える。
【００３１】
図5は、本明細書における教示によるシステム500を示している。図5では、サーバ520は、たった1つのサーバ520として示されているが、サーバ520が、サーバまたは他の計算デバイスの集合体により具現化可能であることを理解されたい。一実施形態では、サーバ520は、図4に示されているサーバである。サーバ520は、少なくとも1つのコンテンツプロバイダ510a〜510dからコンテンツを受け取るように構成されている。図5では、コンテンツプロバイダ510は、サーバとして示されているが、コンテンツプロバイダ510が、コンテンツを記憶することができる任意のデバイスを通じて、前記コンテンツを前記サーバ520に伝えるように具現化可能であることを理解されたい。サーバ520は、コンテンツプロバイダ510からサーバ520へと複数の矢印によって示されるように、各コンテンツプロバイダ510から1つまたは複数のコンテンツを受け取るように配置されている。一実施形態では、コンテンツプロバイダは、製品もしくは商品の製造業者、または製品もしくは商品のプロバイダを表す。本願では、製品は、サービスも含んでいると理解すべきであることに留意されたい。これ以降、商品は、製品もしくは商品、またはサービスを意味するものと見なす。一実施形態では、コンテンツプロバイダは、ストアを表す。一実施形態では、コンテンツプロバイダは、フランチャイズを表す。一実施形態では、コンテンツプロバイダは、ストアチェーンを示す。一実施形態では、コンテンツプロバイダは、コンテンツプロバイダの集合体を表す。
【００３２】
サーバ520に提供されるコンテンツは、販売キャンペーンに関する情報を含む。そのような販売情報は、商品および価格のうちの少なくとも一方を含む。販売情報は、受信者またはターゲット群をさらに含む。販売情報は、期間に関する情報をさらに含む。一実施形態では、期間は、開始時間と継続期間として与えられる。一実施形態では、期間は、開始時間と終了時間として与えられる。期間が時間差に関係しているとき、用語「時間」は、日付と時間を含むと見なすことに留意されたい。販売情報は、これ以降、地理上のデータと称する地理上の地域に関する情報をさらに含む。一実施形態では、地理上のデータは、中心点および半径に関するデータを含む。一実施形態では、地理上のデータは、地域を限定し、番地を限定し、郵便番号を限定し、地区を限定し、町を限定し、市を限定し、郡を限定し、県を限定し、および/または国を限定するデータを含む。一実施形態では、そのような限定データは、地理座標である。
【００３３】
ユーザが、コンテンツプロバイダ510によって提供されるすべてのオファー間で判別できることを可能にするために、システムおよび方法が、本明細書における教示のプロバイダによって実現された。システムおよび方法は、販売データの記憶、転送、配信、および提示のために、販売データを順序付ける独創的方式に基づいている。図6は、販売データ600のそのような順序付けの概略図を示している。
【００３４】
販売データ600は、商品、製品、またはサービスを提供するコンテンツプロバイダ610に従って編成される。コンテンツは、様々なチャネル620にさらに整えられる。一実施形態では、チャネル620は、コンテンツプロバイダ610を表す。一実施形態では、チャネル620は、コンテンツプロバイダ610の副領域または副部門を表す。一実施形態では、チャネルは、よく知られているHennes & Mauritz(登録商標)などの大手衣料品プロバイダを表す。一実施形態では、チャネルは、よく知られているHennes & Mauritz(登録商標)などの大手衣料品プロバイダのメンズコレクション部門を表す。一実施形態では、チャネルは、よく知られているHennes & Mauritz(登録商標)などの大手衣料品プロバイダのメンズコレクション部門のシャツコレクションを表す。コンテンツプロバイダは、それと関連付けられた任意の数のチャネルを有することができることに留意されたい。チャネル620は、1つまたはいくつかのキャンペーン630と関連付けられている。一実施形態では、キャンペーン630は、商品またはある範囲の商品、および商品の価格640と関連付けられている。キャンペーン630はさらに、期間650と関連付けられ、その期間650の間、キャンペーンは有効である。キャンペーン630はまた、地理上の地域660と関連付けられ、その地域内でキャンペーン660は有効である。一実施形態では、キャンペーン630はさらに、潜在的購入者のターゲット群670と関連付けられている。一実施形態では、ターゲット群670は、性別、年齢、学歴、地理上の地域、社会的地位などのうちの少なくとも1つに関係する基準に基づいている。一実施形態では、ターゲット群670は、潜在的購入者の申込みを済ませたチャネル610に関係する基準に基づいている。キャンペーン630の一例は、2011年5月1日に開始し2011年5月10日に終了する割引価格で安い半袖シャツを購入するためのオファー提供であり、このキャンペーンは、年齢の範囲が25〜45歳で、イギリスのロンドンに在住の男性ユーザに向けられている。
【００３５】
図5に戻すと、サーバ520は、キャンペーン形式でコンテンツプロバイダ510から提供されるコンテンツを受け取り、キャンペーン630の編成基準に従って受け取ったコンテンツを編成するように構成されている。一実施形態では、販売情報は、編成基準として使用される。サーバ520は、バーチャルチャネル525を通じてコンテンツの編成に従って、受け取ったコンテンツを配信するようにさらに構成され、それにより、そのようなキャンペーン630に興味があることを示したユーザがコンテンツを受け取るようになる。したがって、キャンペーン630は、実際にキャンペーンに興味のあるそれらのユーザのみが受け取り、ユーザに対して手当たり次第に一斉に配信されることはないので、配信されたユーザを場合によっては混乱させたり、さらには苛立たせてしまうことによって、コンテンツプロバイダのブランド名の良い評判に反感を持たれるようなことにはならない。
【００３６】
図7は、本明細書による方法の流れ図を示している。方法は、場合により、サーバ520のクライアントを通じてサーバ520によって第一義的な監督または制御の下で行われることになる。最初にコンテンツプロバイダ510は、サーバ520に登録し(710)、それによって、チャネル620を設定するようにイネーブルされる(715)。上記開示したように、コンテンツプロバイダ510は、2つ以上のチャネル620を設定してもよいことに留意されたい。コンテンツプロバイダ510は、キャンペーン630と関連付けられることになる名称および商品640、ならびに場合により価格を示すようサーバ520によって促される(720)。一実施形態は、価格は、値引きにより間接的に与えられる。一実施形態では、値引きは、価格から差し引かれることになる百分率として与えられる。コンテンツプロバイダ510はまた、キャンペーン630と関連付けられることになる期間650を示すようサーバ520によって促される(725)。一実施形態では、期間は、開始時間と継続期間として与えられる。一実施形態では、期間は、開始時間および終了時間として与えられる。コンテンツプロバイダ510は、キャンペーン630と関連付けられることになる地理上の地域660を示すようサーバ520によってさらに促される(730)。一実施形態では、地理上の地域は、中心点および(半径などの)距離として与えられる。一実施形態では、地理上の地域は、番地、郵便番号、地区、町、市、郡、県もしくは国または国の集合体として与えられる。これにより、キャンペーンは(非常に)特定の地域と関連付けられていることが可能になる。一実施形態では、サーバ520は、ターゲット群670についてコンテンツプロバイダ510をさらに促す。一実施形態では、ターゲット群670は、チャネル620の少なくとも1人の申込者に関係している。一実施形態では、ターゲット群670は、性別、年齢、学齢、地理上の地域、社会的地位などのうちの少なくとも1つに関係する基準に関係している。
【００３７】
一実施形態では、サーバ520は、キャンペーン630を、テキストキャンペーン630、マルチメディアキャンペーン630、または値引きキャンペーン630として実施するように構成されている。テキストキャンペーン630の場合、サーバ520は、キャンペーン630に含めるテキスト本文を提供するようコンテンツプロバイダ510を促すように構成されている。マルチメディアキャンペーン630の場合、サーバ520は、キャンペーン630に含めるテキスト本文、画像またはビデオクリップを提供するようコンテンツプロバイダ510を促すように構成されている。値引きキャンペーン630の場合、サーバ520は、キャンペーン630に含める値引きコードを提供するようコンテンツプロバイダ510を促すように構成されている。一実施形態では、サーバは、キャンペーン630を個人キャンペーン630として実施するように構成されている。個人キャンペーン630の場合、サーバ520は、キャンペーン630に含める受信者を提供するようコンテンツプロバイダ510を促すように構成されている。これにより、コンテンツプロバイダは、特定の地理上の地域における特定のターゲット群に非常に詳細なオファーを提供することが可能になる。このことは、一斉に宣伝する必要性を抑えるので有益である。
【００３８】
一実施形態では、サーバ520は、QRコード（登録商標）(クイックレスポンス(Quick Response))にキャンペーンを関連付けるように構成され、そのような実施形態では、サーバは、キャンペーン630に含めるQRコード（登録商標）を提供するようコンテンツプロバイダ510を促すように構成されている。当業者には知られているように、QRコード（登録商標）は、QRコード（登録商標）が解釈されるとき、フェッチされることになるウェブページリンクと関連付け可能である。そのような一実施形態では、ユーザ端末530は、QRコード（登録商標）の画像をキャプチャし、コードを解釈するように構成されている。一実施形態では、コードは、チャネル620への申込みと関連付けられ、ユーザ端末530は、サーバ520に対して、指定されたチャネル620の申込み要求を送るように構成されている。一実施形態では、コードは、キャンペーンと関連付けられ、ユーザ端末530は、指定されたキャンペーン630の要求をサーバ520に送るように構成されている、一実施形態では、ユーザ端末530は、キャンペーン630の要求に加えて、指定されたキャンペーンと関連付けられたチャネル620の申込み要求をサーバ520に送るように構成されている。一実施形態では、加えてまたは代替として、QRコード（登録商標）は、電子クーポンと関連付けられる。電子クーポンに関するより詳細は、下記に与えられる。
【００３９】
一実施形態では、サーバ520は、キャンペーンをハイパーリンクと関連付けるように構成され、そのような実施形態では、サーバは、キャンペーン630に含めるハイパーリンクを提供するようコンテンツプロバイダ510を促すように構成されている。当業者には知られているように、ハイパーリンクは、ハイパーリンクがユーザによって選定されるとき、フェッチされることになるウェブページリンクと関連付け可能である。これにより、コンテンツプロバイダは、コンテンツプロバイダによって選択された形式および量でユーザに情報を提供することが可能になる。
【００４０】
一実施形態では、サーバ520は、モバイル端末100のユーザが、ユーザに利用できるチャネルのリストを表示することができるようにさらに構成されている。そのような一実施形態では、サーバ520は、コンテンツプロバイダ610に基づいて、利用できるチャネル620の仕分けられたリストをユーザ端末に提供するように構成されている。これにより、ユーザは、ユーザが知っている特定のプロバイダからチャネルを容易に見つけることが可能になる。そのような一実施形態では、代替としてまたは加えて、サーバ520は、対象の特定の領域に基づいて利用できるチャネル620を仕分けるように構成されている。これにより、ユーザは、自分が興味のある対象領域において商品を提供するプロバイダからチャネルを容易に見つけることが可能になる。そのような一実施形態では、代替としてまたは加えて、サーバ520は、特定の地理上の地域に基づいて利用できるチャネル620を仕分けるように構成されている。これにより、ユーザは、自分が興味のある、または自分が現在その中にいる地理上の地域における商品を提供するプロバイダからチャネルを容易に見つけることが可能になる。
【００４１】
一実施形態では、ユーザ端末530は、QRコード（登録商標）をキャプチャし、解釈し、QRコード（登録商標）と関連付けられたチャネル620に申し込むよう申込み要求をサーバ520に送るように構成されている。したがって、コンテンツプロバイダは、キャンペーンを宣伝することができ、これにより、ユーザは、宣伝情報にQRコード（登録商標）を含めることによって、関連付けられたチャネルに申し込むことが可能になる。
【００４２】
一実施形態では、サーバ520は、場合により、キャンペーンを通じて、または専用のメッセージを通じて、特定のチャネルまたはチャネルの群に申し込むようユーザを招待するように、コンテンツプロバイダをイネーブルするようにさらに構成されている。一実施形態では、サーバ520は、コンテンツプロバイダ以外のユーザがそのような招待を延長することができるように構成されている。ユーザ端末530は、そのような招待を受け取り、それをユーザに提示するように構成されている。ユーザ端末530は、ユーザが招待を受け入れるか否かを判定するようにさらに構成され、受け入れた場合、指定されたチャネルの申込み要求をサーバ520に送る。一実施形態では、ユーザ端末530は、そのような招待を別のユーザに転送するようにさらに構成されている。一実施形態では、ユーザ端末530はまた、チャネルの招待を作成し、別のユーザに送るように構成されている。これにより、チャネルを友人間で配信することが可能になる。一実施形態では、チャネルは、招待を受け取った後に、検索できるだけでなく、そのチャネルに申し込むことが可能であるように整えられている。これにより、コンテンツプロバイダは、チャネルの周りに特別なまたは謎めいた雰囲気を作り出すことが可能になる。
【００４３】
一実施形態では、サーバ520は、利用できるチャネル620の中で検索するようユーザ端末530をイネーブルするようにさらに構成されている。一実施形態では、サーバ530は、ブランド、使用領域、地理上の地域、関連チャネル、値引きレベルなどの基準に基づいて、そのような検索をイネーブルするように構成されている。これにより、ユーザは、自分にとって対象のチャネルを検索し、かつそのチャネルに申し込むことが可能になる。
【００４４】
一実施形態では、サーバ520は、利用できるチャネル620の中で閲覧するようユーザ端末530をイネーブルするようにさらに構成されている。一実施形態では、サーバ530は、ブランド名、使用領域、地理上の地域、関連チャネル、値引きレベルなどに基づいて、そのような閲覧をイネーブルするように構成されている。これにより、ユーザは、自分にとって対象ではあるが、以前は存在を知らなかったチャネルを通じて閲覧し、かつそのチャネルに申し込むことが可能になる。
【００４５】
キャンペーンを地理上の地域と関連付けることによって、その地理上の地域の中にいるまたはその地理上の地域の近くにいるユーザにキャンペーンを向けること、および他のユーザを混乱させないようにすることが可能である。図8は、本明細書による地理上の位置に基づいて、キャンペーンを提供する例示的な方法の流れ図を示している。ユーザ端末530は、その現在位置を確定し、その位置をサーバ520に報告するように構成されている(810)。そのような一実施形態では、サーバ520は、端末の位置を確定するために、GPSデバイス270、またはセルID確定スキームを使用することなど、位置検索技法を活用するように構成されている。一実施形態では、サーバ520は、ユーザ端末530の場所を確定するように構成されている。そのような一実施形態では、サーバ520は、端末の位置を確定するために、セルIDなどの位置検索技法を活用するように構成されている。一実施形態では、ユーザ端末530および/またはサーバ520は、ユーザ端末530の予想される位置を確定するように構成されている。予想される位置は、現在の場所、知られているまたは計算された速度、および知られているまたは計算された方向に基づいて確定される。方向は、デジタルマップから取ることができる。
【００４６】
サーバ520は、ユーザ端末530から、またはサーバ自体520から、またはサーバ520へのクライアントから、ユーザ端末530の位置を受け取り(820)、それに応答して、キャンペーン630が前記位置をカバーする地理上の地域660と関連しているかどうかを判定するように構成されている。一実施形態では、代替として、サーバ520は、キャンペーン630が現在の期間と関連しているかどうかを判定するようにさらに構成されている。一実施形態では、加えてまたは代替として、サーバは、チャネル620が前記位置をカバーしている地理上の地域660と関連しているかどうかを判定するようにさらに構成されている(825)。さらには、サーバ520は、任意の見つかったキャンペーン630および/または見つかったチャネルへの招待をユーザ端末530に提供するように構成されている(830)。これにより、ユーザは、自分が入っているまたは入ろうとしている地域内の現在有効なキャンペーンについて伝えられることが可能になる。また、新しい位置に入ろうとしているユーザに将来の販売キャンペーンに関する情報を提供することも可能であり、ここでは、キャンペーンは、その位置と関連している。また、ユーザが入ろうとしている新しい位置と、ユーザが去ろうとしている以前の地域とは、キャンペーンにどのような違いがあるかについてもユーザに伝えることが可能である。一例として、欧州連合(European Union)などの経済圏の外側にある国を去って、経済圏の中のある国に入ろうとしているユーザが、経済圏による輸入税の上昇/下落が結果として生じる何らかの価格変動について気づかされることである。
【００４７】
そのような一実施形態では、ユーザ端末は、ユーザからある位置を受け取り、ユーザ端末の仮定位置として使用されるようその位置をサーバに転送するように構成されている。これにより、ユーザは、休日などの旅行を計画する際、非常に有用なり得る他の位置で利用できるのが何のキャンペーンであるかを調べることが可能になる。
【００４８】
一実施形態では、地理上のデータはまた、地理上の位置にバーチャルプラザを関連付けることによって、バーチャルプラザを維持するようサーバをイネーブルする。したがって、バーチャルプラザと関連付けられた特定の地理上の地域に入ろうとしているユーザ端末530は、バーチャルプラザにおいて有効な、すなわち、バーチャルプラザの位置に対応する地理上のデータを有するキャンペーンが何であるかが分かるようサーバ520を促すことができる。代替として、サーバ520は、ユーザ端末530がバーチャルプラザと関連付けられた地理上の地域に入ったことを確定し、バーチャルプラザにおいて有効な少なくとも1つのキャンペーンをユーザ端末530に提供するように構成されている。これにより、ユーザは、自分が新しい地域に入ったとき興味を示したプロバイダからのキャンペーンについて知らされることが可能になる。
【００４９】
ユーザ端末530は、バーチャルチャネル620を通じてサーバ520からキャンペーン630を受け取るように構成されている。一実施形態では、サーバ520は、SMSを通じてユーザ端末530にキャンペーン630を提供するように構成されている。一実施形態では、サーバ520は、MMSを通じてユーザ端末530にキャンペーン630を提供するように構成されている。一実施形態では、サーバ520は、Eメールを通じてユーザ端末530にキャンペーン630を提供するように構成されている。一実施形態では、サーバ520は、専用の通信メッセージを通じてユーザ端末530にキャンペーン630を提供するように構成されている。
【００５０】
一実施形態では、ユーザ端末530は、キャンペーン630を受け取るための時間/日付に従って、受け取ったキャンペーン630を整えるように構成されている。これにより、ユーザは、ごく最近受け取ったキャンペーンがどれであるかを知ることが可能になる。一実施形態では、さらにまたは代替として、ユーザ端末530は、キャンペーン630が有効である期間に従って、受け取ったキャンペーン630を整えるように構成されている。これにより、ユーザは、どのキャンペーンが現在有効であるか、または有効間近であるかを知ることが可能になる。一実施形態では、ユーザ端末530は、経過した期間を有するキャンペーン630を削除するように構成されている。
【００５１】
一実施形態では、さらにまたは代替として、ユーザ端末530は、受け取ったキャンペーン630の申込みを済ませた他のユーザの数に従って、受け取ったキャンペーン630を整えるように構成されている。そのような実施形態では、サーバ520は、キャンペーン630をどれだけのユーザが受け取ったかに関する更新済みの情報をユーザ端末530に提供するように構成されている。これにより、ユーザは、どのキャンペーンに人気があるかを知ることが可能になる。一実施形態では、さらにまたは代替として、ユーザ端末530は、どれだけのユーザが、キャンペーン630を通じて購入を行うなどして、キャンペーン630を活用したかに従って、受け取ったキャンペーンを整えるように構成されている。そのような実施形態では、サーバ520は、どれだけのユーザがキャンペーン630を利用したかに関する更新済みの情報をユーザ端末530に提供するように構成されている。一実施形態では、さらにまたは代替として、ユーザ端末530は、どれだけのユーザがキャンペーン630のつがなりを示したかに従って、受け取ったキャンペーン630を整えるように構成されている。そのような実施形態では、サーバ520は、ユーザがキャンペーンを好んでいることの指示をユーザ端末530(場合により、別のユーザ端末)から受け取り、どれだけのユーザがキャンペーン630のつがなりを示したかに関する更新済みの情報をユーザ端末530に提供するように構成されている。これにより、ユーザは、どのキャンペーンに人気があるかを知ることが可能になる。一実施形態では、さらにまたは代替として、ユーザ端末530は、どれだけのユーザが、キャンペーン630が関連しているチャネル620に申込みをしようとしているかに従って、受け取ったキャンペーン630を整えるように構成されている。これにより、ユーザは、人気があるチャネル620およびコンテンツプロバイダ610からのキャンペーン630を容易に知ることが可能になる。
【００５２】
一実施形態では、さらにまたは代替として、ユーザ端末530は、キャンペーン630と関連付けられた地理上の地域660に対する距離に従って、受け取ったキャンペーン630を整えるように構成されている。これにより、ユーザは、どのキャンペーンが現在の位置に関して最も関係があるかを知ることが可能になる。また、ユーザは、店舗などのプロバイダに寄るまたは入ろうとするとき、その店内で現在有効ないずれかのキャンペーンを確実に知らされるようになる。また、これは、コンテンツプロバイダが、競合他社の直販店に特有の地理上の地域を設定することを可能にし、それによって、ユーザは、競合他社の店舗またはストアに寄るまたは入るとき、現在のキャンペーンを確実に知らされるようになる。一実施形態では、ユーザ端末530は、第一義的にキャンペーン630と関連付けられた地理上の地域への距離に関してキャンペーンを仕分けるように構成されている。
【００５３】
図9は、キャンペーン910を受け取ったとき、ユーザ端末900に提示される一連の表示画像を示している。図9aでは、イギリスのロンドンに現在いるユーザに対して、3つのキャンペーンが、現在示されている。図示の3つのキャンペーンは、3つの異なる地理上の位置、すなわち、ロンドン910a、ハル910b、およびリバプール910cと関連付けられている。ユーザが北方に移動し、したがって、ハルへの距離が減少し、ロンドンへの距離が増加するにつれて、ユーザ端末900は、それに応じて、キャンペーンを再度整え、ここでは、ロンドンキャンペーン910aおよびハルキャンペーン910bは、ディスプレイ920において場所を変更している。(図9b参照)。ユーザ端末900が、ハルに入るとき、更新された位置はサーバ520に提供され、ユーザ端末900には、上記に論じたように、ハルと関連する更新済みのキャンペーンが提供され、ユーザ端末は、それに応じて、ディスプレイ920上に更新済みのキャンペーンを表示して、H&M(登録商標)のハル支店についての新しいキャンペーン910dを表示する(図9c参照)。ここで、ロンドンキャンペーン910aには、最低の優先順位が付けられ、リバプールキャンペーン910cは、もはや表示されていない。翌日、新しい期間が有効にされ、ユーザ端末900には、Burger King(登録商標)レストランなど、レストランと関連付けられた新しいキャンペーン910eがサーバ520から提供される。新しいキャンペーン910eは、より最新の期間を有し(つまり、Burger King(登録商標)キャンペーンの期間に対する時間距離が、H&M(登録商標)キャンペーンの期間よりも短い)、したがって、図9dで分かるようにH&M(登録商標)キャンペーン910dより上に表示される。
【００５４】
したがって、本明細書における教示は、ユーザに対するキャンペーンの順序付けおよび提示の非常に多用途の方式を提供し、これにより、ユーザは、任意の所与の時間および場所で最も興味のあるキャンペーンを確実に知らされるようになる。これは、さらには、ユーザの個人の人格を侵害しない方式、かつ激しい宣伝情報の流れに圧倒されることなく概観しやすい方式で達成される。
【００５５】
キャンペーンに興味のあるユーザは、タッチディスプレイ920上のキャンペーンの表象910をタッチするか、キーのセットのうちキー930を操作するかによって、キャンペーンを選定することができる。キャンペーンが選定されるとき、ユーザには、たとえば、テキスト、メディアファイル(画像、ビデオもしく/または音声)、またはキャンペーンと関連付けられた他のコンテンツを通じて、キャンペーンに関する情報が提示される。キャンペーンはまた、リンクと関連付け可能であり、一実施形態では、ユーザ端末530は、キャンペーンが有効にされるとき前記リンクを有効にするように構成されている。そのような諸実施形態では、キャンペーンは、関連付けられたコンテンツを提示する機能と関連付けられている。
【００５６】
キャンペーンはまた、購入機能と関連付け可能である。一実施形態では、ユーザ端末530は、キャンペーンが選定されるとき、購入機能を実行するように構成されている。一実施形態では、ユーザ端末530は、キャンペーンが選定された後、場合により、「買う」とマークされたバーチャルキーなどのさらなる要素を起動することによって、または一般に知られている他の購入方式によって、購入機能を実行するように構成されている。
【００５７】
キャンペーン630はまた、値引き率と関連付け可能である。一実施形態では、値引き率は、ユーザ端末530において記憶されている値引きコードとして実施され得る。値引きコードは、指定された値引き率を提供するために、その後の購入の間に使用され得る。購入は、いくつかの例を挙げると、キャンペーンを通じて、ストアに入ることによって直接、またはプロバイダのウェブサイトを通じて行うことができる。値引き率は、複数のキャンペーン、複数のチャネル、期間、および地理上の地域と関連付け可能である。値引き率はまた、たった1回の購入またはいくつかの購入について効力をもつことができる。
【００５８】
キャンペーン630はさらに、モバイルクーポンまたはインターネットクーポンなど、電子クーポンと関連付け可能である。電子クーポンは、製品またはサービスを購入する際、金銭的な値引きまたは払戻しと交換可能な、モバイルフォンなどの電子通信デバイスに請求および/または配信される電子チケットである。クーポンは、消費者のパッケージ化された品物のプロバイダまたは小売業者によって発行されて、販売販促の一部として小売りストアにおいて使用される。ユーザ端末530は、電子クーポンを記憶するように構成され、したがって、ユーザは、ストアもしくはオンラインで、または別のキャンペーンを通じて、クーポンと引き換えできる。ユーザが、ストアで電子クーポンと引き換えたいと望む一部の場合では、一部の小売業者は、買戻しを決済機関に転送して最終的な処理をする。
【００５９】
図10は、本明細書における教示による全体的な方法の一例を示す流れ図である。図10による方法は、図5および図6を同時に参照して説明する。サーバは、チャネル620の登録を受け取り(1010)、その後、場合により、ユーザ端末530を通じて、ユーザからチャネル620への申込みを受け取る(1020)。サーバは、さらに、チャネル620と関連付けられたキャンペーン630を受け取る(1030)。キャンペーン630は、編成基準を含む。サーバ520は、ユーザが、編成基準に基づいてキャンペーン630の受信者になり得るかどうかを判定し(1040)、ユーザが、キャンペーン630と関連しているチャネル620に申込みを済ませたかどうかを判定する。そうである場合、サーバ520は、ユーザのユーザ端末530にキャンペーンを送る(1050)、または配信する。
【００６０】
本明細書における教示について、ユーザ端末としてモバイルフォン100に関するように説明してきたが、本明細書における教示はまた、ユーザ端末として、電子ビューアまたはタブレットなど、電子通信を受け取ることができるコンピュータもしくは他のデバイスを有する受信者またはユーザに適用できることに留意されたい。
【００６１】
「コンピュータ可読記憶媒体」、「コンピュータプログラム製品」、「有形に実装されたコンピュータプログラム」など、または「コントローラ」、「コンピュータ」、「プロセッサ」などの参照は、単一プロセッサ/マルチプロセッサのアーキテクチャおよび直列(フォンノイマン(Von Neumann))/並列アーキテクチャなどの種々のアーキテクチャを有するコンピュータのみならず、フィールドプログラマブルゲートアレイ(FPGA)、特定用途向け集積回路(ASIC)、などの専用回路、信号処理デバイス、および他のデバイスを包含するように理解すべきである。コンピュータプログラム、命令、コードなどの参照は、プログラマプルプロセッサのためのソフトウェア、あるいはたとえば、ハードウェアデバイスのプログラマブルコンテンツ、プロセッサのための命令、または固定機能デバイス、ゲートアレイ、もしくはプログラマブル論理デバイスなどのための構成設定などのファームウェアを包含するように理解すべきである。
【００６２】
本明細書における教示の1つの利益は、莫大な数の販売オファーの概観を確立する直観的な方式が達成されることであり、ユーザまたは顧客は、自分にとって対象の販売オファーのみを見つけることができ、それによって、混乱、および良いオファーに対して見落とすリスクを避けることができるようになる。販売オファーシステムはまた、非常に多用途であり、ユーザの嗜好に適合できる。
【００６３】
本発明は、主に、いくつかの実施形態を参照して上記に説明してきた。しかしながら、当業者には容易に認識されるように、上記に開示した実施形態以外の実施形態も、添付の特許請求の範囲によって定義されるように本発明の範囲の中で同様になし得るものである。
【符号の説明】
【００６４】
200  モバイルデバイス
210  コントローラ
220  ユーザインターフェース(UI)
230  RFインターフェース
240  メモリ
250  アプリケーション、プログラム命令
260  GPSデバイス
【図１】
2014533412.tif 000003
【図２】
2014533412.tif 000004
【図３】
2014533412.tif 000005
【図４】
2014533412.tif 000006
【図５】
2014533412.tif 000007
【図６】
2014533412.tif 000008
【図７】
2014533412.tif 000009
【図８】
2014533412.tif 000010
【図９ａ】
2014533412.tif 000011
【図９ｂ】
2014533412.tif 000012
【図９ｃ】
2014533412.tif 000013
【図９ｄ】
2014533412.tif 000014
【図１０】
2014533412.tif 000015
【国際調査報告】
2014533412.tif 000016
2014533412.tif 000017
2014533412.tif 000018
2014533412.tif 000019